(57)【要約】【課題】ディスクドライブのピックアップの移動を規制し、さらに、除去の容易なストッパーを有するディスクドライブを提供する。【解決手段】ディスクドライブは、一側面に開口を有する、箱型の外装と、外装に収容され、載置面を有するトレイと、ピックアップと、ピックアップが移動する経路として、載置面に形成された窪みであるレールと、を有し、ストッパーは、平板への復元性を有するシート部材であり、折り曲げることで、規制部と中継部とつまみ部とを構成し、ディスクドライブに収容される場合は、規制部は、レールの内部に配置され、中継部は、載置面の上に配置され、つまみ部は、トレイと外装との間に生じる隙間から突出するように配置される。【選択図】図５
2015092425.tif 000002
【特許請求の範囲】
【請求項１】
ディスクドライブのストッパーであって、
前記ディスクドライブは、
一側面に開口を有する、箱型の外装と、
前記外装に収容され、載置面を有するトレイと、
ピックアップと、
前記ピックアップが移動する経路として、前記載置面に形成された窪みであるレールと、
を有し、
前記ストッパーは、
平板への復元性を有するシート部材であり、折り曲げることで、規制部と中継部とつまみ部とを構成し、
前記ディスクドライブに収容される場合は、
前記規制部は、前記レールの内部に配置され、
前記中継部は、前記載置面の上に配置され、
前記つまみ部は、前記トレイと前記外装との間に生じる隙間から突出するように配置される、
ストッパー。
【請求項２】
前記規制部は、前記レールの内部で少なくとも１箇所が折り曲げられている、
請求項１に記載のストッパー。
【請求項３】
前記規制部は、前記レールの底面から前記レールの上方に向けて折り曲げられた箇所を有する、
請求項１に記載のストッパー。
【請求項４】
前記規制部の一端は、前記ピックアップと当接する、
請求項１に記載のストッパー。
【請求項５】
前記規制部の一端は、前記レールの終端と当接する、
請求項１に記載のストッパー。
【請求項６】
ストッパーを装着したディスクドライブであって、
一側面に開口を有する、箱型の外装と、
前記外装に収容され、載置面を有するトレイと、
ピックアップと、
前記ピックアップが移動する経路として、前記載置面に形成された窪みであるレールと、
を有し、
前記ストッパーは、
平板への復元性を有するシート部材であり、折り曲げることで、規制部と中継部とつまみ部とを構成し、
前記規制部は、前記レールの内部に配置され、
前記中継部は、前記載置面の上に配置され、
前記つまみ部は、前記トレイと前記外装との間に生じる隙間から突出するように配置される、
ディスクドライブ。
【発明の詳細な説明】
【技術分野】
【０００１】
本開示は、ディスクドライブのヘッドを固定するストッパーに関する。
【背景技術】
【０００２】
特許文献１は、光ディスク装置のヘッド固定手段を開示している。ヘッド固定手段は、光ディスク装置の移動時に光ヘッドを装置内部に固定するために、光ディスク装置内のディスクカートリッジ収納部に袋体を挿入、配置し、袋体にエアーを充填することで、光ヘッドを保持固定する。
【先行技術文献】
【特許文献】
【０００３】
【特許文献１】特開平８−１１５５３１号公報
【発明の概要】
【発明が解決しようとする課題】
【０００４】
本開示は、ディスクドライブのピックアップの移動を規制し、さらに、ディスクドライブから除去が容易なストッパーを提供する。
【課題を解決するための手段】
【０００５】
本開示におけるディスクドライブのストッパーにおいて、ディスクドライブは、一側面に開口を有する、箱型の外装と、外装に収容され、載置面を有するトレイと、ピックアップと、ピックアップが移動する経路として、載置面に形成された窪みであるレールと、を有し、ストッパーは、平板への復元性を有するシート部材であり、折り曲げることで、規制部と中継部とつまみ部とを構成し、ディスクドライブに収容される場合は、規制部は、レールの内部に配置され、中継部は、載置面の上に配置され、つまみ部は、トレイと外装との間に生じる隙間から突出するように配置される。
【発明の効果】
【０００６】
本開示におけるストッパーは、ディスクドライブのピックアップの移動を規制し、さらに、ディスクドライブから除去が容易である。
【図面の簡単な説明】
【０００７】
【図１】図１は、実施の形態における全体構成の外観図である。
【図２】図２は、実施の形態におけるディスクドライブの構成図である。
【図３】図３は、実施の形態におけるストッパーの平面図である。
【図４】図４は、実施の形態におけるストッパーの立体構造を示す図である。
【図５】図５は、実施の形態におけるストッパーが折り曲げられてディスクドライブに収容された様子を示す図である。
【図６】図６は、実施の形態におけるディスクドライブからストッパーを除去する様子を示した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態）
以下、図１〜６を用いて、実施の形態を説明する。
【００１１】
［１−１．構成］
［１−１−１．全体構成］
図１は、実施の形態における全体構成の外観図である。
【００１２】
ディスクドライブ１００は、図示しないディスクを収容する。ディスクドライブ１００はディスクへ情報を記録し、ディスクから情報を読み取る装置である。ディスクドライブ１００にストッパー１１０が収容されている。ディスクドライブ１００は、外装１２０とトレイ１３０を有する。トレイ１３０は、外装１２０に収容されている。
【００１３】
ストッパー１１０は、つまみ部１４０を有し、つまみ部１４０は、ディスクドライブ１００の外装１２０とディスクドライブ１００のトレイ１３０との間に生じる隙間から外部に向かって突出した部分である。
【００１４】
［１−１−２．ディスクドライブの構成］
図２は、実施の形態におけるディスクドライブ１００の構成図である。
【００１５】
外装１２０は、略箱型であり、１側面、図２では右側の側面、は開口している。
【００１６】
トレイ１３０は、外装１２０の開口から外装１２０の内部に移動可能となっている。図２では、トレイ１３０の一部のみが外装１２０に収容され、大半が外装１２０から突出している。トレイ１３０は、主面２１０と、載置面２２０と、ピックアップ２３０と、レール２４０と、蓋２５０を有する。
【００１７】
載置面２２０は、主面２１０よりも凹んでおり、凹みは略円形である。載置面２２０にはディスクが載置される。
【００１８】
ピックアップ２３０は、載置面２２０に載置されたディスクに対して、データの読み書きを行う。ピックアップ２３０は、載置面２２０に形成された窪みであるレール２４０の内部に配置される。ピックアップ２３０は、図示しないアクチュエータによってレール２４０の内部をレール２４０に沿って移動可能である。
【００１９】
蓋２５０は、トレイ１３０が外装１２０に収容されている時に外装１２０の開口を閉塞する。蓋２５０の上端面は主面２１０よりも若干高くなっている。
【００２０】
［１−１−３．ストッパーの構成］
図３は、実施の形態におけるストッパー１１０の平面図であり、図４は、実施の形態におけるストッパー１１０の立体構造を示す図である。
【００２１】
ストッパー１１０は、平板のシート部材を折り曲げることによって形成される。図３は、折り曲げられる前のストッパー１１０を示している。シート部材は、平板への復元性を有している。ここで平板への復元性とは、折り曲げられた状態において他端を固定して一端を引っ張った際に、折り曲げられた状態から平板のシート部材の状態へ戻ることができるということであり、完全に平板に戻らなくてもよい。後述するように、ストッパー１１０をディスクドライブ１００から少なくとも引く抜くことが出来る程度、すなわち、外装１２０と蓋２５０の間の隙間をすり抜ける程度の厚みに復元する程度の平板への復元性があればよい。本実施の形態では、ストッパー１１０の材料として、厚さ０．２ｍｍのプラスチックシートを用いた。ストッパー１１０の材料は、プラスチックシートに限定されない。ストッパー１１０の材料としては平板への復元性を有するものであれば、何でもよく、例えば、紙等の繊維シート、金属箔などでもよい。
【００２２】
ストッパー１１０は、つまみ部１４０と、規制部３１０と、規制部３１０とつまみ部１４０の中間に位置する中継部３２０を有する。
【００２３】
ストッパー１１０は、折り線Ｌ１、Ｌ２、Ｌ３、Ｌ４、Ｌ５、Ｌ６に沿って折り曲げられる。
【００２４】
規制部３１０は、第１の側面３１１と、底面３１２と、第２の側面３１３を有する。
【００２５】
第１の側面３１１と底面３１２の境界の折り線Ｌ１は、谷折りである。底面３１２と第２の側面３１３の境界の折り線Ｌ２は、谷折りである。規制部３１０は、折り線Ｌ１と折り線Ｌ２が略９０度に折り曲げられることで、略Ｕ字断面の立体構造に形成される。
【００２６】
規制部３１０は、ディスクドライブ１００のレール２４０の内部に配置される。
【００２７】
第１の側面３１１は、レール２４０の高さと略同じ高さＨ１である。底面３１２は、レール２４０の幅より短い幅Ｗ１である。第２の側面３１３は、レール２４０の高さと略同じ高さＨ２である。
【００２８】
中継部３２０は、ディスクドライブ１００の載置面２２０の上に一部が配置される。中継部３２０は、屈曲部３２１と段差部３２２を有する。屈曲部３２１と規制部３１０の第２の側面３１３の境界の折り線Ｌ３は、山折りである。屈曲部３２１と段差部３２２の境界の折り線Ｌ４は、谷折りである。段差部３２２は蓋２５０の高さのうちの主面２１０からの高さよりわずかに高い高さＨ３である。中継部３２０は、折り線Ｌ３と折り線Ｌ４がそれぞれ略９０度折り曲げられることで、Ｌ字を９０度反転させた型の立体構造に形成される。
【００２９】
つまみ部１４０は、トレイ１３０と外装１２０との間に生じる隙間から突出する箇所である。つまみ部１４０は、天井部３３１と操作部３３２を有する。天井部３３１と中継部３２０の段差部３２２の境界の折り線Ｌ５は山折りである。天井部３３１と操作部３３２の境界の折り線Ｌ６は山折りである。天井部３３１は、蓋２５０の厚みと略同じ幅の幅Ｗ２である。操作部３３２の高さＨ４は、ディスクドライブ１００から取り出し易い長さであることが好ましい。本実施の形態においては操作部３３２の高さＨ４は１ｃｍとした。
【００３０】
図３に示すストッパー１１０の折り線Ｌ１、Ｌ２、Ｌ３、Ｌ４、Ｌ５、Ｌ６を折り曲げることで図４に示すようなストッパー１１０の立体構造が完成する。
【００３１】
［１−１−４．ディスクドライブ内部の構成］
図５は、実施の形態におけるストッパー１１０が折り曲げられてディスクドライブ１００に収容された様子を示す図である。
【００３２】
ストッパー１１０の規制部３１０は、ディスクドライブ１００のレール２４０の内部に配置される。規制部３１０の第２の側面３１３は、レール２４０の側端に当接している。第１の側面の一端３１１ａと、第２の側面の一端３１３ａが、ピックアップ２３０に当接する。第１の側面の一端３１１ａと、第２の側面の一端３１３ａは、レール２４０の底面、規制部３１０の底面３１２が重畳する部分、からレール２４０の上方に向けて、底面３１２から折り曲げられた箇所である。第２の側面の他端３１３ｂは、レールの終端２４０ａと当接する。
【００３３】
屈曲部３２１は、載置面２２０および主面２１０の上に配置される。
【００３４】
つまみ部１４０の天井部３３１は、蓋２５０の上端面に配置される。つまみ部１４０の操作部３３２は、蓋２５０の外面に配置される。
【００３５】
［１−２．作用］
［１−２−１．ピックアップに外力が加わった際の作用］
図５を用いて、ピックアップ２３０に外力Ｆ１が加わった際の作用を説明する。図５において便宜上、トレイ１３０が外装１２０から突出した状態でピックアップ２３０に外力Ｆ１が加わった際の作用を説明するが、トレイ１３０が外装１２０に収容された状態でも同様の作用が生じる。
【００３６】
外力Ｆ１は、ピックアップ２３０がレールの終端２４０ａの方向に移動しようとする力である。外力Ｆ１が加わる状況として、例えば、ディスクドライブ１００を輸送中に、ディスクドライブ１００が落下する状況や、ディスクドライブ１００が他の物体と衝突するような状況がある。外力Ｆ１が加わる状況を避けるため、ディスクドライブ１００内にストッパー１１０を収容する。
【００３７】
外力Ｆ１がピックアップ２３０に作用すると、ピックアップ２３０は、レール２４０に沿って移動しようとする。しかし、図５に示すようにピックアップ２３０には第１の側面の一端３１１ａと、第２の側面の一端３１３ａが当接しているので、ピックアップ２３０の移動が規制される。また、第２の側面の他端３１３ｂが、レールの終端２４０ａと当接しているので、ストッパー１１０そのものがピックアップ２３０に押されて外力Ｆ１の方向へ移動する量も微量である。
【００３８】
［１−２−２．ストッパーをディスクドライブから引き抜く際の作用］
図６は、実施の形態におけるディスクドライブ１００からストッパー１１０を除去する様子を示した図である。図１の状態からつまみ部１４０をつまみ、方向Ｆ２に引き抜くことで、ストッパー１１０がディスクドライブ１００から除去される。ストッパー１１０が平板への復元性を有するので、折り曲げられた状態から方向Ｆ２へ引っ張ることで、ストッパー１１０が略平板形状に変形し、ストッパー１１０が外装１２０と蓋２５０との間に生じる隙間を通り抜ける。
【００３９】
［１−３．効果等］
以上のように、本実施の形態のディスクドライブ１００のストッパー１１０において、ディスクドライブ１００は、一側面に開口を有する、箱型の外装１２０と、外装１２０に収容され、載置面２２０を有するトレイ１３０と、ピックアップ２３０と、ピックアップ２３０が移動する経路として、載置面２２０に形成された窪みであるレール２４０とを有し、ストッパー１１０は、平板への復元性を有するシート部材であり、折り曲げることで、規制部３１０と中継部３２０とつまみ部１４０とを構成し、ディスクドライブ１００に収容される場合は、規制部３１０は、レール２４０の内部に配置され、中継部３２０は、載置面２２０の上に配置され、つまみ部１４０は、トレイ１３０と外装１２０との間に生じる隙間から突出するように配置される。
【００４０】
これにより、ピックアップ２３０が、ストッパー１１０によって外力Ｆ１に向かう方向への移動を規制されるため、ピックアップ２３０がレールの終端２４０ａに衝突し、ピックアップ２３０の機能が損なわれる可能性が低減する。そして、つまみ部１４０をつまみ、方向Ｆ２に引き抜くことでストッパー１１０は、ディスクドライブ１００から除去できる。そのため、ストッパー１１０は、ディスクドライブ１００から容易に除去できる。
【００４１】
また、本実施の形態において、規制部３１０は、レール２４０の内部で少なくとも１箇所が折り曲げられている。これにより、ストッパー１１０の構造を強固にしつつ、レール２４０内へのストッパー１１０の収容性を向上させることができる。
【００４２】
また、本実施の形態において、規制部３１０は、レール２４０の底面からレール２４０の上方に向けて折り曲げられた箇所である第１の側面３１１、第２の側面３１３を有する。これにより、規制部３１０の一部がピックアップ２３０とレール２４０の側面とに生じる隙間に巻込まれる可能性が低減する。
【００４３】
また、本実施の形態において、規制部３１０の一端は、ピックアップ２３０と当接する。これにより、外力Ｆ１が加わる前であってもピックアップ２３０の移動を規制することが可能になるので、外力Ｆ１によりピックアップ２３０の移動量を削減できる。
【００４４】
また、本実施の形態において、規制部３１０の一端は、レールの終端２４０ａと当接する。これにより、ピックアップ２３０の移動によって、ストッパー１１０がレールの終端２４０ａの方向へ移動する可能性を低減できる。
【産業上の利用可能性】
【００４５】
本開示は、ディスクドライブのヘッドを固定するストッパーに適用可能である。ディスクドライブとして、具体的には、パーソナルコンピュータへの供給部品としてのディスクドライブ、タブレット端末へ接続される外付けディスクドライブ、携帯音楽プレーヤーなどに適用可能である。
【符号の説明】
【００４６】
１００    ディスクドライブ
１１０    ストッパー
１４０    つまみ部
１２０    外装
１３０    トレイ
２２０    載置面
２３０    ピックアップ
２４０    レール
２４０ａ    レールの終端
２５０    蓋
３１０    規制部
３１１    第１の側面
３１１ａ    第１の側面の一端
３１２    底面
３１３    第２の側面
３１３ａ    第２の側面の一端
３１３ｂ    第２の側面の他端
３２０    中継部
３２１    屈曲部
３２２    段差部
３３１    天井部
３３２    操作部
【図１】
2015092425.tif 000003
【図２】
2015092425.tif 000004
【図３】
2015092425.tif 000005
【図４】
2015092425.tif 000006
【図５】
2015092425.tif 000007
【図６】
2015092425.tif 000008